(57)【特許請求の範囲】
【請求項１】
揮散剤が収納される容器本体（１）と、該容器本体（１）の上部に設けられて内部を密閉する中栓体と、側面に揮散口（４５）を有すると共に前記中栓体の頭部に回転可能に装着されるオーバーキャップ（４０）とを有する揮散容器であって、
前記中栓体を、揮散剤が通過するスリーブ（１２）と該スリーブ（１２）の上部側の側面に形成されて前記揮散剤を外部に揮散させる窓部（１５）とを有して前記容器本体（１）の口筒部（２）に装着される第１中栓（１０）と、前記窓部（１５）を閉塞する閉塞片（２６）を有して該第１中栓（１０）に外装される第２中栓（２０）と、前記第１中栓（１０）と前記第２中栓（２０）とを離脱不能に保持する連結中栓（３０）とを有して構成し、
前記閉塞片（２６）の周囲に、前記第２中栓（２０）の他の面と前記閉塞片（２６）とを破断可能に連結する弱化部（２５）を形成すると共に、前記オーバーキャップ（４０）と前記第２中栓（２０）との間に、前記オーバーキャップ（４０）を回転させたときに、前記弱化部（２５）を破断させると共に前記閉塞片（２６）が回転方向に巻き込まれるように変形して前記窓部（１５）を露出させる係止機構を設けたことを特徴とする揮散容器。
【請求項２】
係止機構を、第２中栓本体（２１）の閉塞片（２６）から外部のオーバーキャップ（４０）に向けて形成した第１係止片（１７）と、キャップ部（４１）の揮散口（４５）から内部の第２中栓本体（２１）に向けて形成した第２係止片（４７）とで形成し、オーバーキャップ（４０）を回転させたときに前記第１係止片（１７）と前記第２係止片（４７）とが互いに係止し合う構成とした請求項１記載の揮散容器。
【請求項３】
揮散口（４５）をオーバーキャップ（４０）の対称となる２ヶ所に形成し、窓部（１５）を第１中栓本体（１１）の対称となる２ヶ所に形成し、且つ閉塞片（２６）を第２中栓本体（２１）の対称となる２ヶ所に形成した請求項１又は２記載の揮散容器。
【請求項４】
オーバーキャップ（４０）と連結中栓（３０）とが対向する部分に、前記オーバーキャップ（４０）の回転を規制するロック機構を設けた請求項１乃至３のいずれか一項に記載の揮散容器。
【請求項５】
スリーブ（１２）内に、揮散剤を吸い上げて揮散する吸上げ芯（５０）を設けた請求項１乃至４のいずれか一項に記載の揮散容器。
【発明の詳細な説明】
【技術分野】
【０００１】
本発明は、芳香剤、消臭剤又は防虫忌避剤等の揮散剤を収納して周囲雰囲気中に揮散させる揮散容器に関する。
【背景技術】
【０００２】
揮散性の液体芳香剤が充填され、使用時に揮散可能な状態に設定可能な揮散容器としては、例えば以下の特許文献１に示される技術が提案されている。
この揮散容器は、シート成形によって作成されたカップの底部相当部に揮散用の孔設部を設けた透明又は半透明の芳香剤カップ容器に液体芳香剤を充填した後、カップ容器の天面と底面を密封シールで封止して、カップ容器の天面部にオーバーキャップと底面部の周縁に設けたフランジと嵌合する台座を備えている。また、底部相当部の孔設部に樹脂繊維等からなる揮散紙を備えており、この揮散紙はカップ容器の底部に相当する天面部の孔設部周縁で、且つ天面の密封シールの真下に設けられたアンダーカットに挟みこまれることによって、カップ内に固定されている。
【０００３】
密封シール直下には揮散紙がセットされており、その揮散紙が内容液で浸潤されているため、天面の密封シールを剥がすことにより、液体芳香剤の周囲雰囲気中への揮散が開始されることになる。
【先行技術文献】
【特許文献】
【０００４】
【特許文献１】特開２００３−２０５９８６号公報
【発明の概要】
【発明が解決しようとする課題】
【０００５】
しかしながら、上記特許文献１に記載の容器では、使用前の密閉状態から揮散可能状態に設定するためには、最初にオーバーキャップを取り外してカップ容器の天面を露出させ、次にカップ容器の天面の密封シールを剥がして揮散紙を露出させ、最後にオーバーキャップを再度カップ容器の天面側に装着させるという３段階の作業が必要であり、容易に揮散可能状態とすることができないという問題がある。
【０００６】
また上記容器では、密封シールを剥がした後にオーバーキャップを再度カップ容器に装着すると、カップ容器の天面がオーバーキャップに隠されてしまうため、外部から見たときに密封シールを剥がす前の密閉状態であるか、または剥がした後の揮散可能状態であるかを一見しただけではて見分けることができないという問題もある。
【０００７】
本発明は、上記した従来技術における問題点を解消すべく、使用前の密閉状態から開封後の揮散可能状態への操作が従来品と比較して極めて簡単に行え、また密閉状態と揮散可能状態とを容易に見分けることを可能として使い勝手に優れた揮散容器を創出することを課題とする。
【課題を解決するための手段】
【０００８】
上記課題を解決するための手段のうち、本発明の主たる構成は、
揮散剤が収納される容器本体と、容器本体の上部に設けられて内部を密閉する中栓体と、側面に揮散口を有すると共に中栓体の頭部に回転可能に装着されるオーバーキャップとを有する揮散容器であって、
中栓体を、揮散剤が通過するスリーブとスリーブの上部側の側面に形成されて揮散剤を外部に揮散させる窓部とを有して容器本体の口筒部に装着される第１中栓と、窓部を閉塞する閉塞片を有して第１中栓に外装される第２中栓と、第１中栓と第２中栓とを離脱不能に保持する連結中栓とを有して構成し、
閉塞片の周囲に、第２中栓の他の面と閉塞片とを破断可能に連結する弱化部を形成すると共に、オーバーキャップと第２中栓との間に、オーバーキャップを回転させたときに、弱化部を破断させると共に閉塞片が回転方向に巻き込まれるように変形して前記窓部（１５）を露出させる係止機構を設けたことを特徴とする、と云うものである。
【０００９】
本発明の主たる構成では、オーバーキャップを回転させてオーバーキャップと第２中栓本体との間に設けられた係止機構を作用させることにより、第２中栓本体の閉塞片の周囲に設けた弱化部が破断し、閉塞片が変形して第１中栓本体に形成されている窓部の開放を達成し得る。
【００１０】
また本発明の他の構成は、上記構成に、係止機構を、第２中栓本体の閉塞片から外部のオーバーキャップに向けて形成した第１係止片と、キャップ部の揮散口から内部の第２中栓本体に向けて形成した第２係止片とで形成し、オーバーキャップを回転させたときに第１係止片と第２係止片とが互いに係止し合う構成とした、との構成を加えたものである。
【００１１】
上記構成では、第２中栓本体とこれを覆うオーバーキャップとの間における係止が確実に行われるようになり、オーバーキャップを回転させたときの弱化部の破断及び閉塞片の変形による窓部の開放を達成し得る。
【００１２】
また本発明の他の構成は、上記構成に、揮散口をオーバーキャップの対称となる２ヶ所に形成し、窓部を第１中栓本体の対称となる２ヶ所に形成し、且つ閉塞片を第２中栓本体の対称となる２ヶ所に形成した、との構成を加えたものである。
【００１３】
上記構成では、揮散口から内部の構造が目視することが可能であることから、揮散容器が使用前の密閉状態か開封後の揮散可能状態にあるかの見分けを達成し得る。また揮散する経路が２ヶ所となることから、揮散量の増大を達成し得る。さらに第１係止片及び第２係止片も対称となる２ヶ所の位置に形成されることになることにより、係止機構による係止が確実に行われるようになる。
【００１４】
また本発明の他の構成は、上記構成に、オーバーキャップと連結中栓とが対向する部分に、オーバーキャップの回転を規制するロック機構を設けた、との構成を加えたものである。
【００１５】
上記構成では、使用前の密閉状態においては意図しないオーバーキャップの回転を制限することが可能となり、開封後の揮発可能状態では係止状態を維持することが可能となることから窓部を開放状態に維持することを達成し得る。
【００１６】
また本発明の他の構成は、上記構成に、スリーブ内に、揮散剤を吸い上げて揮散する吸上げ芯を設けた、との構成を加えたものである。
【００１７】
上記構成では、揮散剤が揮散性液である場合における揮散を確実に達成し得る。
【発明の効果】
【００１８】
本発明は、上記した構成となっているので、以下に示す効果を奏する。
本発明では、オーバーキャップを回すという簡単な操作を行うだけで揮散容器を開封後の揮散可能状態に設定することができる。
また揮散口内の構造を目視するだけで、揮散容器が使用前の密閉状態であるか、あるいは開封後の揮散可能状態であるかを容易に見分けることができる。
【図面の簡単な説明】
【００１９】
【図１】本発明の実施例としての揮散容器を正面方向から示す縦半断面図である。
【図２】図１の揮散容器を側面方向から示す縦半断面図である。
【図３】図１のＩＩＩ−ＩＩＩ線における横断面図である。
【図４】図１に示すＰ部の概略を示し、Ａは拡大後の縦断面図、ＢはＡのＢ−Ｂ線における拡大後の横断面図である。
【図５】開封作業を段階的に示す揮散容器の頭部の横断面図であり、Ａは使用前の密閉状態（回転角度＝０度）、Ｂは係止開始状態（回転角度＝４５度）、Ｃは弱化部の破断が開始した直後の状態（回転角度＝９０度）、Ｄは弱化部の破断が終了する直前の状態（回転角度＝１３５度）、Ｅは開封後の揮散可能状態（回転角度＝１８０度）である。
【発明を実施するための形態】
【００２０】
以下、本発明の実施の形態について図面を参照しつつ説明する。
本発明たる揮散容器は、例えば芳香剤、消臭剤又は防虫忌避剤等の揮散性の液体（以下、揮散剤という）を収納して室内や車内などの周囲雰囲気中に揮散させるものである。
揮散容器は、主に揮散剤を収納する容器本体１と、この容器本体１の口筒部２に装着固定されて、使用前の容器本体１の内部を密閉状態に保持する第１中栓１０、第２中栓２０及び連結中栓３０からなる中栓体と、中栓体の頭部を覆うオーバーキャップ４０と、揮散剤を吸い上げて揮散する吸上げ芯５０とを有して構成されている。
【００２１】
容器本体１は、胴部４上部を縮径状に形成した肩部３の上に円筒状の口筒部２が立設された合成樹脂製のボトル状の容器であり、例えばブロー成形法により製造されている。口筒部２の外周面には雄ネジ５が形成されている。
【００２２】
第１中栓１０は合成樹脂材料で形成され、上部側に略長方角筒状からなる第１中栓本体１１を有し、第１中栓本体１１の下端には細長筒状のスリーブ１２が一体に形成されている。第１中栓本体１１の対称となる位置には、四角形状からなる窓部１５が夫々形成されており、この窓部１５を通じて揮散剤を外部に揮散させることが可能となっている。
第１中栓本体１１の中間部よりも下方の位置には第１フランジ１３が突設されており、この第１フランジ１３よりも下端の第１中栓本体１１の外周面が口筒部２の内周面に嵌合する嵌合部１４とされている。そして、この嵌合部１４とスリーブ１２との間の縮径状に形成された部分に、第１中栓本体１１の内側と容器本体１との間を連通する通気口１６が形成されており、開封時においてはこの通気口１６を通じて外気を容器本体１内に導入することが可能となっている。
【００２３】
第２中栓２０は合成樹脂製からなる有頂で且つ略長方角筒状から成る第２中栓本体２１と、第２中栓本体２１の天面２２に設けられた凸状の軸部２３と、第２中栓本体２１の下端に設けられた第２フランジ２４を有して構成される。第２中栓本体２１の側面の対称となる位置には帯状からなる閉塞片２６が形成されている。閉塞片２６の周囲にはコの字状に肉薄化された弱化部２５が配置されており、閉塞片２６は第２中栓本体２１の他の面に対し弱化部２５を介して破断可能に連結されている。また図３に示すように、縦方向に延びる弱化部２５の近傍で且つ閉塞片２６の周方向の一端には、後述する第２係止片４７と共に係止機構を構成する第１係止片１７が夫々形成されている。
第２中栓本体２１は第１中栓本体１１に外装されており、第２中栓本体２１の天面２２は第１中栓本体１１の上端を封止し、第１中栓本体１１の窓部１５に対向配置された第２中栓本体２１の閉塞片２６がこの窓部１５を閉塞している。
【００２４】
連結中栓３０も合成樹脂製からなる有頂円筒状から成る部材であり、天面３１の中央には開口部３３が形成されており、この開口部３３内に第１中栓本体１１及び第２中栓本体２１が挿通されている。連結中栓３０の側壁３２の内面には雌ネジ３４が形成されており、容器本体１に設けられた雄ネジ５に対して螺合している。連結中栓３０の天面３１が第２中栓本体２１の第２フランジ２４を上方から押さえ付け、雌ネジ３４が容器本体１の雄ネジ５に螺合することで、第１中栓１０と第２中栓２０とは口筒部２に対して不動且つ離脱不能に固定されている。これら第１中栓１０、第２中栓２０及び連結中栓３０とからなる中栓体は口筒部２に装着されて容器本体１を密閉しており、使用前の密閉状態における揮散及び液漏れの防止が可能となっている。
【００２５】
オーバーキャップ４０も合成樹脂材料により、第２中栓２０を覆い隠す筒状のキャップ部４１とキャップ部４１の下端から段差状に広がるスカート部４２と、キャップ部４１の外側の軸対称となる位置に肉薄状に形成された一対の摘み部４３とを有して形成されている。キャップ部４１の頂部の下面には、軸受部４４が形成されており、この軸受部４４には第２中栓本体２１に形成されている軸部２３が回転自在に軸支されており、一対の摘み部４３を手で摘まんで回すことにより、オーバーキャップ４０を軸部２３回りに回転させることが可能となっている。
【００２６】
またキャップ部４１の側面には、キャップ部４１の軸受部４４に沿う方向に対して垂直方向に貫通する略四角形状からなる揮散口４５が形成されている。使用者はこの揮散口４５を介してオーバーキャップ４０内に位置する第２中栓本体２１の状態を目視することにより、揮散容器が使用前の密閉状態にあるか、あるいは開封後の揮散可能状態にあるかを見分けることが可能となっている。揮散口４５の一方の縁部にはキャップ部４１の内部方向に鉤状に折れ曲がる第２係止片４７（係止機構）が夫々形成されており、第２係止片４７の先端は上述の第１係止片１７と係止可能な状態にある。
【００２７】
図４Ａ及び図４Ｂに示すように、連結中栓３０の側壁３２の外面には凸状を有して縦方向に延びる第１凸部３５が形成され、これに対向するオーバーキャップ４０のスカート部４２の内面には同じく凸状を有して縦方向に延びる一対の第２凸部４６が周方向に所定の間隔を有して形成されている。このような、第１凸部３５と一対の第２凸部４６とは、連結中栓３０の側壁３２の外面とオーバーキャップ４０のスカート部４２の内面とが対向する部分のうちの対称となる２ヶ所の位置（１８０度異なる位置）に夫々形成されている。
使用前の密閉状態では、一対の第２凸部４６間の谷間に第１凸部３５が位置することによって係止されるため、オーバーキャップ４０の意図しない回転を規制する。すなわち、第１凸部３５と一対の第２凸部４６とは使用前のオーバーキャップ４０の回転を規制するロック機構を構成している。
【００２８】
吸上げ芯５０は、吸液性のある従来同様の素材、例えばフェルト、合成繊維束、天然繊維束、発泡合成樹脂等により棒状に形成されたもので、上端がスリーブ１２内に挿入されて保持固定され、下端は容器本体１の底部方向に垂下されて揮散剤内に浸漬している（図示せず）。吸上げ芯５０の上部には、吸上げ芯５０と同じ材料を用いて吸上げ芯５０よりも大きく形成した含浸体５１が設けられており、揮散量を増大させること可能となっている。
【００２９】
次に、上記揮散容器の使用方法について説明する。
図５Ａに示す使用前の密閉状態（回転角度＝０度）では、揮散口４５を介して第２中栓本体２１に形成されている四角形状の閉塞片２６及び第１係止片１７が露出している（図２参照）。よって、目視により揮散容器が使用前の密閉状態にあると見分けることが可能である。
【００３０】
図５Ａに示す状態からオーバーキャップ４０の摘み部４３を摘まんで図示右回り方向に回わすと、上述した第１凸部３５が一対の第２凸部４６を周方向に相対的に乗り越えるためロック機構によるロック状態が解除される。
【００３１】
図５Ｂに示すように、オーバーキャップ４０の回転角度が略４５度に至ると、第１中栓１０側の第１係止片１７にオーバーキャップ４０側の第２係止片４７が係止する。
この状態からさらにオーバーキャップ４０を右回り方向に回して図５Ｃの状態に至らしめると、第２係止片４７によって係止された第１係止片１７が図示右回り方向に強く引かれて弱化部２５に破断が生じ、第１中栓本体１１に形成されている閉塞片２６が回転方向に折り返されるように変形して窓部１５が露出し始める。
【００３２】
そして、図５Ｄに示すように、さらにオーバーキャップ４０を回わして弱化部２５の破断を進行させると、閉塞片２６が回転方向に徐々に巻き取られるように変形して取り除かれるため、窓部１５の露出が大きくなる。
【００３３】
最後に、図５Ｅに示すように、オーバーキャップ４０の回転角度を１８０度に至らしめると、閉塞片２６によって閉塞状態にあった窓部１５を完全に開放することができる。この状態では第１中栓本体１１に形成されている窓部１５とオーバーキャップ４０に形成されている揮散口４５とが対向する。よって、一方の揮散口４５、第１中栓の対称の位置に形成された一対の窓部１５及び他方の揮散口４５が一方向に重なる状態となるため、一方の揮散口４５から他方の揮散口４５に向かって空間が突き抜けることとなる。
【００３４】
これにより、第１中栓本体１１の内部と揮散容器の外部とが第１中栓本体１１の窓部１５及びオーバーキャップ４０の揮散口４５を介して連通されることになり、揮散口４５の内部に配置された含浸体５１を介して吸上げ芯５０によって吸い上げられた揮散剤を揮散容器の外部に揮散させることが可能となる。
また揮散口４５から第１中栓本体１１の内部の構造を目視することにより、揮散容器が開封後の揮散可能状態にあると見分けることが容易である。
【００３５】
またオーバーキャップ４０を半回転（１８０度）だけ回転させて図５Ｅの状態に設定すると、第１凸部３５が一対の第２凸部４６を周方向に相対的に乗り越えるため、再びロック機構がロック状態となり、オーバーキャップ４０のこれ以上の回転を抑制することが可能となる。よって、口筒部２からのオーバーキャップ４０の離脱を阻止し、ひいてはオーバーキャップ４０の紛失を防止することが可能となる。
さらにロック機構は第１係止片１７と第２係止片４７とから成る係止機構の係止状態を維持する。このため、第１係止片１７と第２係止片４７との意図しない係止解除を防止し、閉塞片２６によって再び窓部１５が閉塞される状態に至ることを阻止することが可能である。
【００３６】
なお、オーバーキャップ４０を半回転（１８０度）以上回すことも可能であり、その場合には第１係止片１７と第２係止片４７との係止が解除されるが、この際には閉塞片２６は窓部１５が閉鎖される閉塞状態（図５Ａ参照）に戻ることになる。このため、上述の図５Ａ乃至図５Ｅの操作を再度行うことにより、揮散容器を開封後の揮散可能状態とすることが可能である。
【００３７】
従来の揮散容器にあっては使用開始時にオーバーキャップを取り外して内部の密封シールを剥離させる際にオーバーキャップを紛失させてしまう虞があったが、本発明ではオーバーキャップ４０を取り外す必要がないので紛失の虞がない。特に車載用など径の小さな揮散容器においては、オーバーキャップの大きさも小さいので取り外した場合には紛失する虞があることから、そのような虞が生じにくい点で本発明は有効である。
【００３８】
また本発明では従来のような３段階の作業が不要であり、単にオーバーキャップ４０を回すだけで容易に開封することができるため、操作の際に誤って揮散剤が手に付着したり、あるいは揮散剤を溢したりする虞を抑制することができる。
【００３９】
このように、本発明では、オーバーキャップ４０を一方向に回転させるという簡単な操作を行うだけで使用前の密閉状態から開封後の揮散可能状態に設定することができる。
また揮散口４５内の構造を目視するだけで、揮散容器が使用前の密閉状態であるか、あるいは開封後の揮散可能状態であるかを容易に判断することができる。
【００４０】
以上、実施例に沿って本発明の構成とその作用効果について説明したが、本発明の実施の形態は上記実施例に限定されるものではない。
【００４１】
例えば、上記実施例では液状の揮散剤を示して説明したが、その他例えばジェル状、あるいは小球状の揮散剤であってもよい。この構成の場合には吸上げ芯５０及び含浸体５１は不要となる。
【００４２】
また上記実施例では、略長方角筒状から成る第１中栓本体１１及び第２中栓本体２１を示して説明したが、第１中栓本体１１及び第２中栓本体２１はその他の形状、例えば円筒形状や楕円筒形状とすることもできる。
【００４３】
また上記実施例では、ロック機構を構成する第１凸部３５と一対の第２凸部４６とを対称となる２ヶ所の位置に形成する場合を示して説明したが、例えば回角度４５度毎のように複数の箇所に形成してもよい。この構成ではオーバーキャップ４０を回して図５Ａ（回転角度＝０度）及び図５Ｅ（回転角度＝１８０度）に回した場合だけでなく、図５Ｃ（回転角度＝９０度）及び図５Ｄ（回転角度＝１３５度）の位置に回したときにもロック機構によってオーバーキャップ４０をロック状態とすることが可能となる。窓部１５の開口面積は、図５Ｃ（回転角度＝９０度）、図５Ｄ（回転角度＝１３５度）、図５Ｅ（回転角度＝１８０度）の順に大きくなり、揮散量もこの順に大きくなる。よって、オーバーキャップ４０の回転角度を任意に変えることで揮散量を調整することが可能であり、この際オーバーキャップ４０を各回転位置にてロック状態に設定することにより、窓部１５の開口面積を保持すること、すなわち各回転位置における揮散量を一定とすることが可能となる。
【００４４】
また上記実施例では、ロック機能について、第１凸部３５を連結中栓３０側に形成し、一対の第２凸部４６をオーバーキャップ４０側に形成した場合を示して説明したが、連結中栓３０側に一対の第２凸部を形成し、オーバーキャップ４０側に第１凸部を形成する構成であってもよい。
【産業上の利用可能性】
【００４５】
本発明は、芳香剤、消臭剤又は防虫忌避剤等の揮散剤を収納して周囲雰囲気中に揮散させる容器の分野における用途展開をさらに広い領域で図ることができる。
【符号の説明】
【００４６】
１    ：  容器本体
２    ：  口筒部
３    ：  肩部
４    ：  胴部
５    ：  雄ネジ
１０  ：  第１中栓
１１  ：  第１中栓本体
１２  ：  スリーブ
１３  ：  第１フランジ
１４  ：  嵌合部
１５  ：  窓部
１６  ：  通気口
１７  ：  第１係止片（係止機構）
２０  ：  第２中栓
２１  ：  第２中栓本体
２２  ：  天面
２３  ：  軸部
２４  ：  第２フランジ
２５  ：  弱化部
２６  ：  閉塞片
３０  ：  連結中栓
３１  ：  天面
３２  ：  側壁
３３  ：  開口部
３４  ：  雌ネジ
３５  ：  第１凸部（ロック機構）
４０  ：  オーバーキャップ
４１  ：  キャップ部
４２  ：  スカート部
４３  ：  摘み部
４４  ：  軸受部
４５  ：  揮散口
４６  ：  第２凸部（ロック機構）
４７  ：  第２係止片（係止機構）
５０  ：  吸上げ芯
５１  ：  含浸体
【図１】
0006308392.tif 000002
【図２】
0006308392.tif 000003
【図３】
0006308392.tif 000004
【図４】
0006308392.tif 000005
【図５】
0006308392.tif 000006